(57)【要約】      （修正有）【課題】緊急脱出用バックアップ空気源を提供する。【解決手段】スキューバダイビング用の第１レギュレーターｂ1に給気パイプを介して小型のリザーブエアータンクａ１を接続する若しくは第１レギュレーターｂ1と第２レギュレーターｃ1を繋ぐ給気パイプの途中にリザーブエアータンクａ１を取り付け装備することで、携行のエアータンクの空気が無くなったときには、この予備タンク（リザーブエアータンク）ａ１のバルブが手動若しくは自動的に開栓して安全浮上に必要な呼吸ガスを提供することを特徴とする緊急脱出用バックアップ空気源装置。【選択図】図５
2010013086.tif 000002
【特許請求の範囲】
【請求項１】
スキューバダイビング用の第１レギュレーター（ファーストステージレギュレーター）に給気パイプ介して小型の予備タンク（以下、リザーブエアータンクという）を接続する若しくは第１レギュレーターと第２レギュレーター（セカンドステージレギュレーター）を繋ぐ給気パイプの途中にリザーブエアータンクを取り付け、携行のスキューバーダイビング用空気源（以下、エアータンクという）の空気（以下、呼吸ガスという）が無くなったときに緊急用に設けたこのリザーブエアータンクのバックアップ用空気源のバルブを開放することで浮上に必要な呼吸ガスを提供することを特徴とする装置である。
【請求項２】
前記のリザーブエアータンクはバルブの開栓手段として押しボタンを強く押し込むことで開栓し、手を放しても押し込み状態（バルブの開放）を保持する。閉栓手段として押しボタンを手で引き出すことによりバルブを閉栓状態に復帰する機構を特徴とする装置である。
【請求項３】
前記のリザーブエアータンクは周囲の水圧バランスを制御して圧縮バネやダイヤフラムなどを用いて２００ｋｇ／ｃｍ２以上の高圧呼吸ガスを約９．５ｋｇ／ｃｍ２の中圧呼吸ガスに適応するまで減圧して水深に左右されずに一定圧の呼吸ガスを給気パイプへ供給する機能を有する装置である。
【請求項４】
前記のリザーブエアータンクはエアータンクの空気圧が予め設定された圧力（例えば、６ｋｇ／ｃｍ２）以下に低下した場合は自動的にリザーブエアータンクのバルブが開放される機能を有する装置であり、設定された水深（例えば、２メートル）以下に潜水すると起動する機構を特徴とする装置である。
【請求項５】
前記のリザーブエアータンクのバルブが開放されたときに、流動する流体（空気や呼吸ガス）が振動板（リード）を振動して警告音を発することで容易に装置の作動を教えることができる警告音機能を有する装置である。
【請求項６】
前記のリザーブエアータンクには第１レギュレーターからリザーブエアータンクを通して第２レギュレーターに抵抗無く呼吸ガスを通過させることができ、リザーブエアータンクのバルブが開放されて呼吸ガスが開放された場合は第１レギュレーター側へは空気を供給しないが、第２レギュレーター側へは呼吸ガスを供給する整流弁（チェックバルブ）を用いた機構を有する装置である。
【請求項７】
前記のリザーブエアータンクへの空気充填法として許可を受けた高圧ガス製造業者によって高圧呼吸ガス充填を容易にするアダプターと携行するエアータンクから直接的に高圧呼吸ガスを分配して充填するアダプターを用いて高圧呼吸ガスを充填するアダプター機構を特徴とする装置である。
【請求項８】
エアータンクの２００ｋｇ／ｃｍ２以上の高圧呼吸ガスをリザーブエアータンクの充填口から補充させることができ、リザーブエアータンクの充填口からは高圧呼吸ガスが逆流しない逆止弁機能を備える装置である。
【請求項９】
前記の請求項２記載のリザーブエアータンクのバルブ開閉栓手段を用いて、押しボタンを押し込んだ開栓状態に連動して充填口が開栓し、押しボタンを手で引き出した開栓状態に連動して充填口を閉栓し、請求項８記載の逆止弁機能との併設によって高度な高圧ガス取扱上の安全性を確保する機構を特徴とする装置である。
【発明の詳細な説明】
【技術分野】
【０００１】  本発明は、携行するスキューバダイビング用の空気源（以下、エアータンクという）の空気（以下、呼吸ガスという）を使い果たしたときの緊急浮上用バックアップ空気源に関する。
【背景技術】
【０００２】  スキューバダイビングとは、英語のＳｅｌｆ  Ｃｏｎｔａｉｎｅｄ  Ｕｎｄｅｒｗａｔｅｒ  Ｂｒｅａｔｈｉｎｇ  ＡｐｐａｒａｔｕｓのアクロニムであるＳＣＵＢＡのカナ表記であり、空気などの呼吸ガスを携行する方式の潜水器具（ジャック＝イヴ・クストーが発明者の一人として有名）を指す。自給式水中呼吸装置とも訳される。英語のＳＣＵＢＡは本来潜水器具を指す名詞であるが、現在では、この方式の器具を用いて行う潜水活動をもスキューバダイビングと言い、また形容詞的語としても良く使われる。スキューバダイビングは、海事工事、水難救助、軍事などの職業的活動としても行われるが、一般にはレジャーダイビングを示すことが多く、空気などの呼吸ガスを携行する方式のためにスチール製やアルミ製のタンクを空気源としている。【０００３】  前記のエアータンクは呼吸用のガス（通常は空気）を圧縮して携行するための容器で、日本ではボンベと呼ばれることも多いが、英語ではｔａｎｋ（タンク）、ｂｏｔｔｌｅ（ボトル）、ないしはシリンダー（ｃｙｌｉｎｄｅｒ）と呼ばれる。重量の軽いアルミニウム製のものが用いられた時期もあったが、現在ではスチール（鋼鉄）製のものが多く用いられている。内容積は６Ｌから１５Ｌ程度で、日本では１０Ｌのものが多い。充填圧力は２００ｋｇ／ｃｍ２が標準的である。テクニカルダイビング用としては３００ｋｇ／ｃｍ２のものも一部用いられる。この高圧の空気を第１レギュレータ（ファーストステージレギュレータ）で中間圧（約９．５ｋｇ／ｃｍ２）に減圧し、この中間圧を第２レギュレータ（セカンドステージレギュレータ）で、水深とバランスする圧力に減圧してマウスピースに供給している。【０００４】  高圧ガス保安法（旧・高圧ガス取締法）により、許可を受けた高圧ガス製造業者でなければタンクに空気などのガスを充填してはならない。またタンクには、有資格者による５年に１回の検査を実施し、ＳＣＵＢＡの文字を含む検査合格の刻印をする必要がある。また、日本ではタンクを灰色に着色し、白文字でクウキと記載することを義務化している。【０００５】  従来はスキューバダイビング用に携行するエアータンクの呼吸ガスを使い果たした場合は一緒に潜水しているパートナー（以下は、バディという）から予備用の第２レギュレーター（オクトパス）を借りて一緒に浮上する方法を用いているが、緊急時にバディが側に居ない場合は溺水の危惧があり、また緊急浮上により減圧症の危険性があるため、潜水者（以下は、ダイバーという）は普段から圧力ゲージの定期的な監視が必要とされるが、この圧力ゲージの故障時の対処法は特に示されておらず未解決課題である。【０００６】  また、レジャーダイビングでは無減圧潜水を推奨しているが、ダイバーの潜水深度との関係や潜水時間の長いテクニカルダイビングでは減圧症を防ぐために、ゆっくりした速度で浮上する若しくは、安全停止と言って深度５〜６メートルで数分間、安全停止をして体内に取り込まれた窒素を排出する必要がある。
【発明の開示】
【発明が解決しようとする課題】
【０００７】  スキューバダイビング指導機関ＰＡＤＩジャパン（Ｔｈｅ  Ｗａｙ  ｔｈｅ  Ｗｏｒｌｄ  Ｌｅａｒｎｓ  ｔｏ  Ｄｉｖｅ）では、トラブルや海況変化を予見した潜水計画（ダイブプラン）で残圧が一定量以下（例えば５０ｋｇ／ｃｍ２）に成ったときは浮上することを推奨しているが、体格差や運動量、水深や疲労度によって、呼吸ガスの消費量には個人差があるために各人が自己責任でエアータンク内の呼吸ガス残量を圧力ゲージでたえず確認しながら潜水する技術を指導している。また、単独での潜水を禁止し、二人一組で潜水することを推奨しているが、圧力ゲージが故障していた場合や、確認を怠った場合など、エアータンク内の呼吸ガスを使い果たしたときの対処法として一緒に潜水しているバディから呼吸ガスを分けて貰う方法や、減圧症を覚悟した緊急浮上方法を伝授している。【０００８】  また、ダイビングコンピューターのワイヤーレス・トランスミッターを第１レギュレーターに接続して電波によって腕時計型の受信機に残圧を送信して警告ブザーを発する装置も市販されているが、このダイビングコンピューターは高価で一般的には普及して居らず、自己責任で圧力ゲージを目視で確認して居るのが一般的である。エアータンクの呼吸ガスを使い果たした場合は１分後には意識を失い２分後には溺水に至り、パニック状態のダイバーは緊急浮上により減圧症の危険性を避けることは出来なかった。【０００９】  また、日本アクアラング（株）から市販されるポニーボトル（Ｐｏｎｙ  ｂｏｔｔｌｅ）やスペアエアー（ｈｔｔｐ：／／ｗｗｗ．ｓｐａｒｅａｉｒ．ｃｏｍ／）は携行することを忘れて潜水したり、第２レギュレーターのマウスピースを口から外してポニーボトルのマウスピースに咥え直したり、呼吸ガスを得るために回転式バルブを数回転させて緊急用呼吸ガスを開放する機構で、吸引するまでの手順はグローブを装着するダイバーにとって不利であり、空気切れの緊急状態に陥ったダイバーがパニックを起こさずに速やかに取り扱うのは非常に困難である。
【課題を解決するための手段】
【００１０】  本発明は、かかる状況に鑑みなされたものであって、前記の課題を解決するための手段として緊急浮上用のバックアップ空気源を提供することにある。本来、第１レギュレーターは呼吸ガスを供給する役割を主眼としているが、予備タンク（以下は、リザーブエアータンクという）の給気パイプを第１レギュレーターの呼吸ガス供給口（以下は、中圧口という）に接続することによって、呼吸ガスを使い果たした場合には第１レギュレーターを介してリザーブエアータンク内の呼吸ガスを自動的若しくは手動によって開放することで、リザーブエアータンク内の呼吸ガスを第２レギュレーターのマウスピースから連続して供給することを特徴とする。その点ではリザーブエアータンクは第１レギュレーターの中圧口に給気パイプで接続されているので携行を忘れることがなく、緊急時も残圧が設定圧以下（例えば６ｋｇ／ｃｍ２）になると自動的に空気を開放することで浮上に失敗することもない。また、自動的に作動しなかった場合や、安全停止中により高濃度な酸素比率の呼吸ガス（以下は、エンリッチナイトロックスという）を吸引して体内の窒素を効率的に排出たい場合の開栓手段として押しボタンを強く押すだけの簡単な操作でリザーブエアータンク内の呼吸ガスを吸引するためにマウスピースを咥え直すことなく連続して第２レギュレーターのマウスピースから吸引することが可能である。
【発明の効果】
【発明を実施するための最良の形態】
【００１１】  請求項１記載の発明によって、スキューバダイビング用の第１レギュレーターの中圧口に給気パイプで接続されたリザーブエアータンクを取り付ける若しくは第１レギュレーターと第２レギュレーターを繋ぐ給気パイプの途中にリザーブエアータンクを取り付けて携行を忘れることなく、スキューバダイビング用エアータンクの呼吸ガスが無くなったときに、緊急用に設けたこのリザーブエアータンクのバックアップ用空気源の開栓ボタンを強く押して開栓することで安全浮上に必要な呼吸ガスを提供することを特徴とする装置である。【００１２】  第１レギュレーターは第２レギュレーターへ呼吸ガスを供給したり、浮力調整ジャケットに空気を供給したり、圧力計に残圧を表示する役割を主眼としているが、リザーブエアータンクを第１レギュレーターの中圧口に繋ぐことでエアータンクの呼吸ガスを使い果たした場合は、リザーブエアータンク内の緊急用呼吸ガスを利用して浮上プロセスを安全に遂行することを特徴とする。また、リザーブエアータンク容器の容量を、５００ｍｌ、８００ｍｌ、１０００ｍｌなどの利用目的に応じた容量の選択を可能とし、携行に邪魔にならない小型軽量のカーボン繊維複合アルミニウム容器や強化プラスチック製、チタン製などの容器を利用することも可能であり、装着方法として浮力調整ジャケットの前面にナイロンなどの袋状ケースに挿入して胸部のストラップに装着したり、タンクハーネスにマジックテープなどしたりするなどして装備が邪魔に成らず、携行が苦にならない形態のモノであり、リザーブエアータンク本体を蛍光オレンジ色に着色するなどして注意を促す配色を特徴とする。【００１３】  請求項２記載の発明によって、前記のリザーブエアータンクはバルブの開栓手段として押しボタンを強く押し込むことで瞬時に開栓して呼吸ガスを吸引することが可能であり、手を放しても押し込みの状態（バルブの開放）を保持する機能を有し、閉栓手段として押し込まれたボタンを手で引き出すことによりバルブを閉栓状態に復帰する機構を特徴とする装置であり、呼吸が出来ずパニック状態に陥ったダイバーにとって容易且つ迅速に緊急用呼吸ガスを供給することを特徴とする。【００１４】  請求項３記載の発明によって、前記のリザーブエアータンクは開栓押しボタンを強く押し込むことで呼吸ガスを給気パイプに開放する機構を特徴とし、内部機構は２００ｋｇ／ｃｍ２以上の高圧呼吸ガスを周囲の水圧に応じながら圧縮バネやダイヤフラムを用いて約９．５ｋｇ／ｃｍ２程度の中圧呼吸ガスに適応するまで減圧して、たえず一定圧の呼吸ガスを給気パイプへ送る機能を有する装置であり、既存の第２レギュレーターのマウスピースから口を外すことなく連続して呼吸が続けられることを特徴とする装置であり、第１レギュレーターの空気供給口に繋ぐことで、リザーブエアータンクの呼吸ガスが開放されたことは第１レギュレーターに接続された圧力計で呼吸ガスの有効量を確認しながら安全に浮上のプロセスを遂行することが可能である。【００１５】  請求項４記載の発明によって、請求項２記載のリザーブエアータンクの開栓を手動で行う他に、スキューバダイビング用エアータンクの空気残圧に応じて自動的に開栓する機能に関するモノで��予め設定された圧力（例えば約６ｋｇ／ｃｍ２）にエアータンクの残圧が低下した場合や、携行者（ダイバー）が予め設定（調節）した圧力（例えば約８ｋｇ／ｃｍ２）に達したときは自動的にリザーブエアータンクのバルブが開放される機能を有する装置あり、潜水前の大気圧でセットアップのためにエアータンクに第１レギュレーターを接続したり、第１レギュレーターのバルブを開閉したりしても、圧縮バネシリンダーやダイヤフラムを用いた安全装置によって誤ってリザーブエアータンクが自動的に開栓する機能は働かず、設定の潜水深度（例えば２メートル以上）に達した状態で自動的に開栓する機能が起動することを特徴とする。【００１６】  請求項５記載の発明は、前記のリザーブエアータンクのバルブが開放されたときに、呼吸ガスが流動するのを振動板（ハーモニカのリード）を用いて、振動音を発することで、携行者が容易に装置の作動を知ることを特徴とする機能が設けられ、高圧呼吸ガスの充填時や、大気へ呼吸ガスを放出する場合も振動音で知ることができる。また、呼吸ガスの流動量や流動圧によって音量や音色に変化を持たせることで、圧力ゲージを備えない場合であっても、容易に高圧呼吸ガスの充填完了や、装置の起動を知ることが可能となり、自動的に開栓バルブが作動した場合においても、緊急事態を携行者に教えることができるので、知らぬ間にリザーブエアータンクの緊急用バックアップ空気源を誤って使い果たすことの無い機能を有する装置である。【００１７】  請求項６記載の発明は、スキューバダイビング用エアータンクに充分な呼吸ガスが残っている場合においても、安全停止中に減圧症の予防のためにエンリッチナイトロックス（高濃度な酸素比率の呼吸ガス）を吸引することで速やかに体内に取り込まれた窒素を効率的に排出したいときは、整流弁機構（チェックバルブ）によってリザーブエアータンク内の呼吸ガスは第２レギュレーターへは供給するが、第１レギュレーターへは呼吸ガスを供給しないので、エアータンクの呼吸ガスとリザーブエアータンクのエンリッチナイトロックスの呼吸ガスが混合することなく、エンリッチナイトロックスの呼吸ガスを吸引する機能を特徴とする。また、普段は第１レギュレーターから第２レギュレーターへはチェックバルブの機能によって抵抗無く呼吸ガスを通過させることで、リザーブエアータンクの装着を意識することなく呼吸することが可能である。【００１８】  請求項７記載の発明は、許可を受けた高圧ガス製造業者によって高圧呼吸ガスをアダプターを用いて充填することや、ダイバー自身がリザーブエアータンクへ高圧呼吸ガスを充填しようとするとき、アダプターとリザーブエアータンクを予め接続させた状態で容易且つ迅速にスキューバダイビング用エアータンクが保有する呼吸ガスの一部を分配するアダプターに関するモノで、充填や補充を簡単に行う機能を有した装置である。また、リザーブエアータンクに小型の圧力ゲージを設けることで残圧や充填完了をダイバーに教えることが可能となり、緊急時にリザーブエアータンクの残圧を知ることにより浮上プロセスをより安全に行うことができる。また、リザーブエアータンクに空気が充填しておくのを忘れたり、保管時に空気が減少して圧力が不十��であるなどの事態を未然に防ぐ機能を有する装置である。【００１９】  請求項８記載の発明は、逆止弁機能に関するもので、ダイバー自身がエアータンクの高圧呼吸ガスをリザーブエアータンクへ移そうとする場合にアダプターの取り付け方法を誤っていたり不完全で有る場合においても、リザーブエアータンクから高圧ガスの逆噴出による人身事故を未然に防ぐことを目的とする装備である。【００２０】  請求項９記載の発明は、請求項２記載のリザーブエアータンクの押しボタンに連動して高圧呼吸ガスの充填口が開閉する機能に関するもので、前記の逆止弁機能と併設することによって、より取り扱い上の安全性を高めることを前提とした機能であり、押し込んだ開栓状態に連動して充填口が開栓し、押しボタンを手で引き出した開栓状態に連動して充填口を閉栓する機構から、逆止弁機能が動作不良を起こした場合においても、押しボタンを手で引き出して開栓状態にすることで高圧ガスの噴出を緊急的に停止することが可能であり、高度な高圧ガス取扱上の安全性を確保する機構を特徴とする装置である。【００２１】  スキューバダイバーは潜水中に空気が無くなるとパニック状態に陥りやすく、急浮上をする傾向があり、肺破裂や減圧症の危険性があるが、請求項３記載の残圧が例えば６ｋｇ／ｃｍ２以下になると自動的にリザーブエアータンクが開栓して呼吸ガスを開放することで安全浮上に必要な呼吸ガスを供給する呼吸の提供ができる。また、請求項５記載の警告音はダイバーにリザーブエアータンクの作動を知らせるので、気付かない状態でリザーブエアータンクの空気を消費して、浮上に失敗することを防止する。【００２２】  また、許可を受けた高圧ガス製造業者でなくとも、エアータンクへの第１レギュレーターの接続と同じ方法でダイバー自身が接続して、高圧呼吸ガスの充填を行うのであれば、エアータンクの保有する高圧呼吸ガスの一部をリザーブエアータンクに分配することはスキューバダイビングの有資格者であれば取り扱いに注意することで容易に充填及び補充をすることが可能である。また、エンリッチナイトロックスなど、酸素比率の高い呼吸ガスを高圧ガス製造業者で充填することも可能であり、普段の浮上においても減圧症の予防や窒素酔いの治療に有効に作用すると考えられる。救急救命の処置方法で高濃度の酸素呼吸が有効であることは明らかであり、減圧症の治療にも有効であるためエアータンクからの呼吸ガス充填だけに限らず、個別に高圧ガス製造業者から高濃度な酸素比率の呼吸ガスを充填することを特徴とする装置である。
【実施例】
【００２３】  以下、本発明に係る好適な実施例を添付図面と共に詳細に説明する。なお、本発明は実施の形態に限定されるものではなく、発明の要旨を変更しない範囲において各種の改変がなされても、本発明の技術的範囲に属するのはもちろんである。【００２４】  本発明は、上記目的を達成するために次の構成を備える。すなわち、本発明は図５に示す通り、スキューバダイビング用の第１レギュレーターｂ１の中圧口ｂ２とリザーブエアータンクａ１の給気パイプ入口ｄ１を給気パイプｆ１を介して接続し、スキューバダイビング用エアータンクＪ１の呼吸ガスを使い果たした場合に、自動的にリザーブエアータンクａ１内の呼吸ガスを開放して、浮上に必要な呼吸ガスをダイバーに供給する装置の発明に関するモノである。【００２５】  また、接続方法として図４が示す通り、第１レギュレーターｂ１の中圧口ｂ２とリザーブエアータンクａ１の給気パイプ入口ｄ１を接続し、リザーブエアータンクａ１の給気パイプ出口ｄ２を第２レギュレーターｃ１の給気パイプｆ２に接続することによって、緊急用に設けたリザーブエアータンクａ１の開栓押しボタンａ３を強く押し込むことで瞬時にバックアップ用の呼吸ガスを開放することが可能であり、ダイバーが安全停止中に減圧症予防のために高濃度な酸素比率の呼吸ガスを吸引したい場合は、リザーブエアータンクａ１の開栓押しボタンａ３を強く押し込むことで瞬時に高濃度な酸素比率の呼吸ガスを提供することを特徴とする装置である。【００２６】  リザーブエアータンクａ１容器への空気充填方法として、予めアダプターｅ１−０１の充填口ｅ５とリザーブエアータンク充填口ａ４をネジ込んで連結し、リザーブエアータンクの開栓押しボタンａ３を押し込むことで充填可能状態となり、エアータンクＪ１のバルブに接続してエアータンクＪ１側のバルブを開栓することで２００ｋｇ／ｃｍ２以上の高圧呼吸ガスをリザーブエアータンクａ１の容器へ充填することができる。【００２７】また、許可を受けた高圧ガス製造業者はアダプターｅ１−０２をリザーブエアータンクａ１の充填口ａ４に取る付けた状態で、一般的なエアータンクへの高圧呼吸ガス充填法と同様の機械設備で充填することができる。
【産業上の利用可能性】
【００２８】  財団法人日本海洋レジャー安全進行協会発表の平成１８年の海難事故統計資料（３月１３日海上保安庁統計）マリンレジャーに伴う海浜事故者数は８８１人この内、死者・行方不明者は３１８人、遊泳中の死者・行方不明者３２９人スキューバダイビング中の事故者４７人、死者・行方不明者２０人で殆どが潜水中の溺水が原因であり、殆どの死者が携行するエアータンク残圧が０であったことから、潜水中にエアーを使い果たした結果、溺水に結びついたと思われます。緊急用バックアップ空気源は死者・行方不明者を確実に減少し、貢献できる装置であると考え、このリザーブエアータンクも万が一の事故の際には人命を救済する装置となり得ると考える。【００２９】  前記の緊急脱出用バックアップ空気源は消防署、原子力施設、化学工場など広範囲に、消防活動、人命救助、避難誘導、災害防止用として、広く利用される防災用自給式呼吸器への応用も可能なシステムであり、消防・危機管理用具研究協議会の救助隊用給気式呼吸用保護具（空気呼吸器ＣＦＡＳＤＭ  ００２：２００４）では、今後の検討課題として、（テロ災害等の特殊災害に使用する空気呼吸器について定めた米国のＣＢＲＮ規格には、この規格で規定しなかった次の要求項目がある。構造項目として：緊急エアー接続システム（ＲＩＣ  ＵＡＣ）、２種類以上の警報信号を持った警報器等）としており、本発明の利用が可能であり、厚生労働省発表の高気圧作業安全衛生規則の一部改正により（潜水作業者に予備空気槽の基準に適合した予備ボンベを携行させるときは、予備空気槽を設けることを要しないこととすること）とする改正に伴い、本発明の利用が可能であると考える。
【図面の簡単な説明】
【００３０】
【図１】本発明の実施形態を示す配管図である。
【図２】同（リザーブタンク）の本体及びアダプターの外観図である。
【図３】同（リザーブタンク）の内部構造図である。
【図４】同（リザーブタンク）使用を説明する本体の配管図（例１）である。
【図５】同（リザーブタンク）使用を説明する本体の配管図（例２）である。
【符号の説明】
【００３１】０１  ａ１はリザーブエアータンク本体及びタンク容器
０２  ａ２は本体及び機構部分
０３  ａ３は開栓閉栓押しボタン
０４  ａ４は高圧ガス充填口
０５  ａ５、ａ７、ｂ３は給気パイプロックネジ
０６  ｂ１は第１レギュレーター本体
０７  ｂ２は中圧口
０８  ｃ１、ｃ３は第２レギュレーター本体
０９  ｃ２、ｃ４吸気調整バルブ
１０  ｃ５はマウスピース
１１  ｄ１は給気パイプ入口
１２  ｄ２は給気パイプ出口
１３  ｆ１は第１レギュレーター給気パイプ入口側
１４  ｆ２は第２レギュレーター給気パイプ出口側
１５  ｇ１は水圧調整口
１６  ｇ２は中圧調整スプリング
１７  ｇ３はゴムシート
１８  ｇ４フィルター
１９  ｇ５ゴムパッキン
２０  ｇ６は中圧調整室
２１  ｇ７は逆止弁
２２  ｇ８は開栓閉栓動作説明
２３  ｇ９は整流弁
２４  ｅ１−０１、ｅ１−０２は高圧ガス充填アダプター
２５  ｈ１は圧力ゲージ
２６  Ｊ１はスキューバダイビング用エアータンク
【図１】
2010013086.tif 000003
【図２】
2010013086.tif 000004
【図３】
2010013086.tif 000005
【図４】
2010013086.tif 000006
【図５】
2010013086.tif 000007